(57)【特許請求の範囲】
【請求項１】
容器本体と、該容器本体の開口部に螺合されるキャップとからなり、上記容器本体は第１回転阻止部を有し、上記キャップは第２回転阻止部を有し、該第１回転阻止部と該第２回転阻止部との係合により、閉蓋時における該キャップの回転が阻止されるようになされている容器において、
上記容器本体は、上記開口部と、該開口部を上記キャップで閉蓋した状態においても該キャップに覆われない収容胴部を有しており、
上記容器本体の壁面に、押圧によって該容器本体の内部方向に弾性変形する押圧変形部が形成され、該押圧変形部に、上記キャップの内周面に形成された第２回転阻止部の突起と係合する、第１回転阻止部の突起を有しており、
上記押圧変形部は、上記容器本体の他の部分との間にＵ字状のスリットを設けて形成されており、該スリットは、上記開口部の円筒状の壁面における上記第１回転阻止部の突起よりも上方の位置から、該開口部よりも下方に位置する上記収容胴部の壁面に亘って形成されており、
上記第１回転阻止部は、上記押圧変形部を押圧して変形させることにより、上記第２回転阻止部との係合を解除するようになされていることを特徴とする容器。
【請求項２】
上記スリットからの内容物の漏出が、上記容器本体のスリット部に設けられた薄肉部若しくは蛇腹形状部、又は該容器本体に設けられた弾性且つ液不透過性の防漏シートによって、防止されている、請求項１記載の容器。
【請求項３】
上記キャップが、注出口を有するキャップ本体と該キャップ本体に螺合される計量キャップとからなる請求項１又は２記載の容器。
【発明の詳細な説明】
【０００１】
【発明の属する技術分野】
本発明は、必要な時のみ容易に開蓋することのできる容器に関する。
【０００２】
【従来の技術及び発明が解決しようとする課題】
近年、液体製品、粉粒体製品の容器を使い捨てとせずに、詰替品を充填して繰り返し使用される場合が多くなっている。
詰替品を充填して繰り返し使用する容器として、注出口を有する中蓋を容器本体の開口部に螺合し、該中蓋の外周面に外蓋を螺合して該注出口を封止してなる容器が知られている（実開平７−３３８６１号公報）。しかし、この容器は、外蓋を取り外す際に中蓋が共回りし、容器本体の開口部が必要がない時に開口する恐れがある。
【０００３】
また、外蓋と中蓋との共回りを防止するために、ラチェット等により中蓋が回転しないようにした容器が知られている。この容器に詰替品を充填する際には、詰替品を内容物の注出口から注入するか、又は中蓋を無理に回転させて取り外さなければならないが、いずれの方法も手間が掛かり迅速な充填が困難である。また、注出口から充填する場合は、詰替品が外にこぼれ易く、中蓋を取り外して注入する場合は、中蓋の脱着を繰り返すことにより共回りの阻止機能が損なわれる恐れがある。
【０００４】
また、容器は、誤って落下させてしまった場合や意図せずに使用した場合に容易に開蓋しないことが好ましい。
【０００５】
本発明の第１の目的は、必要な時のみ容易に開蓋することのできる容器を提供することにある。
また、本発明の第２の目的は、注出口を介して内容物を容易に適量注出することができると共に、必要な時のみ容易に容器本体の開口部を開蓋して詰替品を容易且つ迅速に充填することのできる容器を提供することにある。
【０００６】
【課題を解決するための手段】
本発明は、容器本体と、該容器本体の開口部に螺合されるキャップとからなり、上記容器本体は第１回転阻止部を有し、上記キャップは第２回転阻止部を有し、該第１回転阻止部と該第２回転阻止部との係合により、閉蓋時における該キャップの回転が阻止されるようになされている容器において、上記第１回転阻止部は、押圧変形されて上記第２回転阻止部との係合を解除するようになされていることを特徴とする容器を提供することにより、上記第１の目的を達成したものである。
【０００７】
また、本発明は、上記キャップが、注出口を有するキャップ本体と該キャップ本体に螺合される計量キャップとからなる容器を提供することにより、上記第２の目的を達成したものである。
【０００８】
【発明の実施の形態】
以下、本発明の好ましい一実施形態について図面を参照しながら説明する。
本実施形態の容器１は、図１又は図３に示すように、容器本体２と、該容器本体２の開口部２１に螺合されるキャップ３とからなる。
【０００９】
容器本体２は、上端において開口し、外周面にねじ溝を有する円筒状の開口部２１と、内部に液体、粉粒体等を収容する中空の収容胴部２２とからなる。
キャップ３は、上部に注出口３１を有するキャップ本体３２と、キャップ本体３２に液密に螺合される計量キャップ３３とからなる。キャップ本体３２は、上下を仕切る仕切り板（図示せず）から上向きに突出した注出筒３４と、注出筒３４との間に液体回収空間（図示せず）を設けて注出筒３４を囲繞し且つ注出筒３４に上記仕切り板で結合された外壁部３５とからなり、上記仕切り板の最下部に液体回収用の開口（図示せず）が設けられており、注出筒３４には、その上端部から上記仕切り板の開口に達する軸方向の切り離し部３６が形成されている。
キャップ３は、キャップ本体３２の上記仕切り板より下部の外壁部３５の内周面にねじ溝を有しており、容器本体２の開口部２１に液密に螺合されるようになっている。また、キャップ３を開口部２１に螺合させる際の回転方向と、キャップ本体３２に計量キャップ３３を螺合させる際の回転方向とは同じ右ねじ方向となっている。
【００１０】
そして、容器本体２は第１回転阻止部４Ａを有し、キャップ３は第２回転阻止部４Ｂを有し、第１回転阻止部４Ａと第２回転阻止部４Ｂとの係合により、閉蓋時におけるキャップ３の回転が阻止されるようになされている。
【００１１】
より詳細には、第２回転阻止部４Ｂは、キャップ３の内周面の下縁部近傍に複数の突起４１，４１・を設けて形成されており、第１回転阻止部４Ａは、第２回転阻止部４Ｂの突起４１と係合する複数の突起４２，４２・を、押圧により変形する押圧変形部４３上に設けて形成されている。そして、図２に示されるように、それぞれ複数の突起４１，４１・と突起４２，４２・とが互いに係合することにより、キャップ３を螺合する際の回転方向と逆方向（図２中矢印Ａで示す方向）へのキャップ３の回転が阻止されるようになっている。
【００１２】
而して、第１回転阻止部４Ａは、押圧変形されて第２回転阻止部４Ｂとの係合を解除するようになされている。
具体的には、第１回転阻止部４Ａは、容器本体２の壁面に形成され、押圧により容器本体２の内部方向に変形する押圧変形部４３と、該押圧変形部４３に突設された突起４２，４２・とからなり、押圧変形部４３を指で押圧変形させることにより、第１回転阻止部４Ａの突起４２，４２・と該第２回転阻止部４Ｂの突起４１，４１・との係合が解除されるようになっている。
【００１３】
押圧変形部４３は、容器本体２の他の部分との間に略Ｕ字状のスリット４４を設けて形成されており、その上端部は開口部２１における突起４２よりも上方に位置し、その下端部は開口部２１より下方の容器本体２の中空胴部２２に位置している。押圧変形部４３は、押圧されると、上端部の容器本体２との結合部を可撓軸として下端部が容器本体２の内部に入り込むように弾性変形する。
そして、押圧変形部４３の弾性変形に伴って、突起４２，４２・の位置が容器本体２の内側方向及び下方にずれ、それにより、突起４２，４２・と突起４１，４１・との係合が解除されるようになっている。
【００１４】
尚、スリット４４は薄肉又は蛇腹形状に一体成形されているか、又は図２に示すように、容器本体２の内側面に、スリット４４を内方から覆うように、弾性且つ液不透過性の防漏シート４５が貼着され、スリット４４からの内容物の漏出が防止されるようになっている。
【００１５】
本実施形態の容器１は、通常の中空容器と同様にして製造することができる。本実施形態の容器１は、図３に示すように、キャップ３を容器本体２の開口部２１に螺合し、キャップ３の回転が、第１回転阻止部４Ａと第２回転阻止部４Ｂとの係合により阻止された状態として使用される。
【００１６】
この状態においては、キャップ３を回転させようとしても、第２回転阻止部４Ｂと第１回転阻止部４Ａとの係合により、該キャップ３の回転が阻止される。このため、容器を落下させた場合や意図せずに使用した場合等に該キャップ３が外れることがなく、また、計量キャップ３３を取り外す際に、キャップ本体３２が共回りして開口部２１から外れたり、開口部２１から内容物が漏出することがない。また、内容物の注出の際には、適量が注出されるように注出口３１から注出すれば良いので、容易に適量の内容物を注出することができる。
【００１７】
容器１内の収容物を使い切り、詰替品を容器１に充填する際には、押圧変形部４３を指にて外方から押圧する。この押圧により第１回転阻止部４Ａの突起４１，４１・が図２中、白抜きの矢印で示す方向に移動し、突起４２，４２・と突起４１，４１・との係合が解除される。押圧を維持した状態において、同図中矢印Ａで示す方向にキャップ３を回転させればキャップ３を容易に取り外すことができる。
そして、図１に示すように容器本体２の開口部２１を開蓋した状態として、該開口部２１から詰替品を充填すれば、詰替品をこぼすことなく容易且つ迅速に充填することができる。尚、突起４１及び突起４２は、キャップ３又は開口部２１の周方向における一端部の高さと他端部の高さとが異なっており、キャップ３を開口部２１に螺合させる際には、第１回転阻止部４Ａを指で押圧しなくてもキャップ３を螺合装着させることができるようになっている。
【００１８】
【発明の効果】
本発明によれば、必要な時のみ容易に開蓋することのできる容器を提供することができる。また、本発明によれば、注出口を介して内容物を容易に適量注出することができると共に、必要な時のみ容易に容器本体の開口部を開蓋して詰替品を容易且つ迅速に充填することのできる容器を提供することができる。
【図面の簡単な説明】
【図１】図１は、本発明の容器の一実施形態を一部省略して示す分解斜視図である。
【図２】図２は、図１に示す容器の横断面（第１回転阻止部の突起横切る平面による横断面）を一部省略して示す断面図である。
【図３】図３は、図１に示す容器の全体を示す側面図である。
【符号の説明】
１      容器（液体注出容器）
２      容器本体
２１  開口部
２２  収容胴部
２３  把持部
３      キャップ
３１  注出口
３２  キャップ本体
３３  計量キャップ
４Ａ    第１回転阻止部
４２  突起
４３  押圧変形部
４Ｂ    第２回転阻止部
４１  突起
【図１】
0004342022.tif 000002
【図２】
0004342022.tif 000003
【図３】
0004342022.tif 000004